(57)【要約】      （修正有）【課題】抗菌性および抗ウイルス性を有する竹または笹の抽出成分などの清浄剤を塗布した表面材と脱臭効果を有する物質を含有した吸水材からなる衛生生理用品を提供する。【解決手段】表面材が、清浄剤と、布および／または不織布とからなり、かつ吸水材が脱臭効果を有する物質を含んでなる衛生生理用品であって洗浄剤が１〜１００ｇ／ｍ2の範囲で塗布され、かつ吸水材が、脱臭効果を有する物質を３〜４０％含有する衛生生理用品。【選択図】図１
2005160891.tif 000002
【特許請求の範囲】
【請求項１】
液透過性の表面材と、液不透過性の防水材と、それらの間に設けられた吸水材とからなる衛生生理用品であって、
表面材が、清浄剤と、布および／または不織布とからなり、かつ吸水材、表面材もしくは防水材が、脱臭効果を有する物質を含んでなる衛生生理用品。
【請求項２】
表面材が、清浄剤を１〜２００ｇ／ｍ2の範囲で塗布してなるものであり、かつ吸水材が、脱臭効果を有する物質を吸水材に対して、３〜４０重量％含有するものである請求項１記載の衛生生理用品。
【請求項３】
清浄剤が、竹または笹の抽出成分であり、かつ脱臭効果を有する物質が、２価の酸化鉄および／または活性炭である請求項１または２記載の衛生生理用品。
【発明の詳細な説明】
【技術分野】
【０００１】
本発明は、抗菌性、脱臭性を有する紙おむつ、ナプキンなどの衛生生理用品に関する。
【背景技術】
【０００２】
乳幼児・お年寄りが使用する紙おむつや、婦人が使用するナプキンなどの衛生生理用品は、排出される体液を吸収するものである。近年、高齢化社会に伴って介護老人の数がますます増加しており、衛生生理用品の需要が高まっている。また、アトピー性皮膚炎などさまざまな原因により、皮膚の弱い子供、乳幼児、婦人、お年寄りが急増しているのが現状である。
【０００３】
現在使用されている衛生生理用品は排泄される汚物を吸収した後も、数時間着用者の身体に装着状態が続く場合がある。しかし、排泄物中の尿素、タンパク質等を保持状態にしておくと、股間等に常在する菌の繁殖床となりやすく、これらの菌が排泄物を床として繁殖すると皮膚かぶれ、痒みや悪臭の発生といった問題が生じる。
【０００４】
この改善策として吸水材の表面または外面にリン酸を主成分とする弱酸性の銀含有ガラス粉を分散させた材料の提案がある。（特許文献１参照）
しかしながらこの方法はガラス粉を基材とし、銀イオンの抗菌効果を利用したものであるが、ガラス基材ゆえ身体に対する安全性、使用後の廃棄方法に問題がある。また、抗菌効果は高いが銀という貴金属を用いるため経済性の点で懸念される提案である。
【０００５】
また、これまでの多くの提案が、１つの機能性素材で消臭と殺菌の両面を抑制したり、抗菌作用により尿素分解菌を殺菌することで結果としてアンモニアの発生が抑制され、悪臭や皮膚のかぶれ、痒みを抑えるというものである。（特許文献２参照）
【特許文献１】特公平６−５１０４５号公報
【特許文献２】特開平４−０２３４５号公報
【発明の開示】
【発明が解決しようとする課題】
【０００６】
本発明は上述した従来の問題点を解消して、排尿直後の臭気を防止するのみならず、時間経過後における菌の繁殖を抑制することにより、皮膚かぶれや悪臭の発生を防止することができる抗菌、脱臭機能を持つ衛生生理用品を提供することを目的とする。
【課題を解決するための手段】
【０００７】
本発明は、直接身体が接する表面材が、清浄剤を含む布およびまたは不織布からなり、かつ吸水材に脱臭効果を有する物質を含有させ抗菌機能と脱臭機能を分離することにより、これまで提案されてきた機能以上の効果が判明し、本発明に至った。
【０００８】
本発明は、液透過性の表面材と、液不透過性の防水材と、それらの間に設けられた吸水材とからなる衛生生理用品であって、
表面材が、清浄剤と、布および／または不織布とからなり、かつ吸水材、表面材もしくは防水材が、脱臭効果を有する物質を含んでなる衛生生理用品に関する。
【０００９】
また、本発明は、表面材が、清浄剤を１〜２００ｇ／ｍ2の範囲で塗布してなるものであり、かつ吸水材が、脱臭効果を有する物質を吸水材に対して、３〜４０重量％含有するものである上記衛生生理用品に関する。
【００１０】
また、本発明は、清浄剤が、竹または笹の抽出成分であり、かつ脱臭効果を有する物質が、２価の酸化鉄および／または活性炭である上記衛生生理用品に関する。
【発明の効果】
【００１１】
本発明により、環境や身体に対する安全性の高い天然物由来の抗菌性および抗ウイルス性を有する竹または笹の抽出成分などの清浄剤を塗布した表面材と脱臭効果を有する物質を含有した吸水材からなる衛生生理用品を提供することができた。
【発明を実施するための最良の形態】
【００１２】
本発明で言う衛生生理用品は乳幼児から介護が必要な大人まで幅広く使用することができ、直接身体が接する表面材が、清浄剤を含む布およびまたは不織布からなり、かつ吸水材に脱臭効果を有する物質を含有させ抗菌機能と脱臭機能を分離する形態を有する。
【００１３】
本発明で言う清浄剤は身体を清浄にする目的で使用され、抗菌・脱臭など、菌に由来する不都合を軽減・解消する目的で使用される。具体的には、抗菌剤、殺菌剤、消臭剤、芳香剤などが相当し、これらの混合物であってもよい。
【００１４】
本発明で用いられる清浄剤は清浄剤液で、表面材である布または不織布に塗布される。固形のものは、溶剤で用いて溶液とする。溶剤は、通常の溶剤が用いられ、例えば、水、
ヘキサン、オクタン、シクロヘキサンなどの炭化水素類、
メタノール、エタノールなどのアルコール類、
アセトン、メチルエチルケトンなどのケトン類、
酢酸エチル、酢酸ブチル、プロピオン酸エチルなどのエステル類、
ベンゼン、トルエン、キシレンなどの芳香族類、
ジクロロエタン、トリクロロエタンなどのハロゲン化溶剤、
ジエチルエーテル、テトラヒドロフランなどのエーテル類などの溶剤が用いられる。
【００１５】
本発明で用いられる竹または笹は、イネ科タケ亜科に属する植物を示す。そのなかにはマダケ属、ナリヒラダケ属、トウチク属、オカメザサ属、ササ属、アズマザサ属、ヤダケ属、メダケ属、カンチク属、ホウライチク属など１０属が含まれ、カンチク、ホウオウチク、モウソウチク、キンメイモウソウチク、キッコウチク、キンメイチク、クロチク、ホテイチク、ヤダケ、ナリヒラダケ、スズコナリヒラ、トウチク、シホウチク、オカメササ、オロシマチク、アズマネザサ、カムロザサ、ミヤコザサ、タンナサザサ、フイリシイヤ、コグマササ、ホンコグマササ、アケボノササ、チゴザサ、ヤクシマザサなどが含まれる。
中でも、クマザサが好適な例として挙げられる。
【００１６】
竹または笹の抽出成分に関しては、リグニンや多糖類を多く含んでいることが推測されておりその成分は複雑で必ずしも明確ではない。
【００１７】
クマザサ抽出成分は、イネ科クマザサから抽出される「ササ配糖体」を主成分とする成分である。「ササ配糖体」は、キシロース、アラビノース等のペントース（五炭糖）、ガラクトース、グルコース等のヘキソース（六炭糖）を構造単糖とする。
【００１８】
竹または笹の抽出成分は、竹または笹を水、アルコールなどの抽出溶剤に浸漬等して竹または笹の抽出液として得ることができる。また、市販品として入手もできる。竹または笹の抽出液は適宜、水等で希釈して使用することができる。
【００１９】
本発明に使用する竹または笹抽出液は、例えば、竹または笹の生葉または乾燥葉、好ましくは乾燥葉を、６０〜１３０℃の水で常圧または加圧抽出して得られるものが好ましい。
【００２０】
抽出方法は特に限定されないが、例えば特許３２１２２７８号公報に記載された方法を使用できる。
【００２１】
竹または笹の抽出成分を抗菌性液として用いる場合は、従来使用されてきた濃度より高濃度で用いるのが好ましく、上記液中に含まれる竹または笹の抽出成分の固形量は、１〜５０重量％で用いることが好ましい。竹または笹の抽出成分は、様々な菌類に対して抗菌性が発揮され、例えば、大腸菌、黄色ブドウ球菌、緑膿菌、破傷風菌、クロストリジウム属ガス壊疸菌、カンジタ菌、白癬菌、ケカビ、クモノスカビ、アスペルギルス属菌、クリプトコッカス属菌、コクシジオイデス属菌、ヒストプラズマ属菌、
ヘルペスウイルス、コロナウイルスなどの菌またはウイルスに対する抗菌性を示すことが期待できる。
【００２２】
本発明の抗菌性材料は、抽出液のまま、あるいは、種々の溶剤や水に溶解または分散して用いることができる。さらに、必要に応じて、種々の添加剤、例えば、保湿剤、粘度調整剤、乳化剤、分散剤、酸化防止剤、芳香剤などを添加してもよい。
【００２３】
保湿材としては、一般に吸湿性のあるものであればよく、特に限定されない。樹脂系内に水酸基やカルボン酸基のようなものを有しているものが代表してあげられ、アクリル酸類、ポリエチレングリコール等のグリコール類、水系ウレタン樹脂、ポリビニルアルコール樹脂、ポリビニルピロリドン、ポリエチレンオキサイド、ポリエチレングリコール鎖を有するポリエステル樹脂、ポリエチレングリコール鎖を有するポリウレタン樹脂、吸水性アクリル樹脂等が挙げられる。
【００２４】
粘度調整剤としては、アクリル樹脂、ポリ酢酸ビニルおよびその鹸化物、ポリエステル、ポリエーテルなど公知の樹脂やワックスが挙げられる。樹脂などの使用は、菌の増殖を助長する水や酸素や栄養源の外部からの供給を遮断する効果と、クマザサ抽出成分の基材からの流出を抑える効果が期待できる。
その他乳化剤、分散剤、酸化防止剤、芳香剤などは、特に限定されないが人体に問題がないものが望ましい。
【００２５】
本発明では、直接身体が接する表面材が、清浄剤を含む布およびまたは不織布からなり、かつ吸水材に脱臭効果を有する物質を含有させ抗菌機能と脱臭機能とを分離させることで衛生生理用品としての使用感が従来品にない快適性を高めたことにある。
【００２６】
本発明の清浄剤液は、直接身体が接する表面材に１〜２００ｇ／ｍ2の範囲で塗布される。１ｇ／ｍ2未満では清浄剤層が薄く、抗菌性が十分発揮されず、皮膚かぶれ、痒み等の不都合を生じる場合がある。一方、２００ｇ／ｍ2より多い場合では十分抗菌性は発揮されるが衛生生理用品の場合、使用後廃棄することを考慮すると経済性の点で不利である。特に１０〜１５０ｇ／ｍ2が望ましい。
【００２７】
本発明で言う脱臭効果を有する物質は、排尿直後の臭気を吸収するのみならず、時間経過後における尿素の分解から発生する臭気も吸収または分解消臭する目的で使用される。吸収作用で代表的な無機系の多孔質、例えば活性炭の炭素系、シリカ、アルミナ、マグネシア、ムライト、モンモリロナイト、ベントナイト、カオリン、ゼオライト、スメクタイト、ハロイサイト、カオリナイト、マイカ、タルク、硫酸バリウム、ケイソウ土、酸性白土等のセラミック系のほか、光触媒作用による酸化チタン系、中和作用による酸・アルカリ系、酸化・還元反応による酸化鉄等の金属酸化物系、など挙げられる。特に２価の酸化鉄および／または活性炭が好適に選ばれる。
【００２８】
前述の材料を吸水材、表面材もしくは防水材に存在させる方法として吸水材の高分子吸水材および／または綿状パルプに添加または練り込み成形する方法、表面材の布および／または不織布に織り込む方法、防水材のポリエチレンフィルムに練り込む方法がある。この中で吸収材に存在させる方法がもっとも効果が大きい。添加量は吸水材に対して３〜４０重量％含有するのがよい。脱臭効果を有する物質は、３重量％未満では脱臭能力が落ち、十分な消臭効果が得られない場合がある。
【００２９】
一方、４０重量％より多い添加では脱臭能力では十分な消臭効果を発揮するが、吸水材に存在させた場合、吸水能力が低下し排泄物が衛生生理用品外に漏れやすくなる。特に５〜２０重量％が望ましい。
【実施例】
【００３０】
＜クマザサエキスの製造＞
北海道天塩山系で９月に採取されたクマザサの乾燥葉を、加圧熱水タンクに入れ１２５℃１０分間処理し、冷却水で熱水を８０℃まで冷却し、エキスと含水固形分をスクリュープレスで分離して、含水率を約５０重量％とした。次に、約５０重量％含水固形分をオートクレーブに入れ、１８０℃で１０分間、飽和水蒸気による加圧熱水処理を行った。処理した含水固形分を、再度加圧熱水抽出タンクに入れて１１０℃で５分間処理してエキスを抽出させた。第１回目のエキスと第２回目のエキスを合わせ、珪藻土濾過し、固形分５０重量％となるまで減圧濃縮し、１１０〜１３０℃の流動殺菌処理してクマザサエキスを得た。
【００３１】
実施例１
清浄剤として前述のクマザサ抽出液と、保湿材として２０重量％ポリエチレンオキサイド水溶液、粘度調整剤として６５重量％イソプロピルアルコール水溶液を６：５：９（重量比）で混合した塗工液を綿１００％で目付６０ｇ／ｍ2の不織布に１５０ｇ／ｍ2／ドライの塗布量で塗布し、表面材を得た。塗布についてはコンマコーターを用いた。また、２価の酸化鉄（（有）東海コンポスト  エフニカ）および活性炭（日本エンバイロケミカル（株）  ペレット活性炭）を５：２（重量比）で混合した脱臭効果を有する物質を１０重量％混入させた吸水材を得た。
これらの表面材、吸水材を用いて目的とする衛生生理用品を得た。
【００３２】
比較例１
実施例１中、清浄剤塗工液を塗工しない不織布からなる表面剤と脱臭効果を有する物質を含まない吸水材からなる紙おむつを得た。
＜おむつかぶれ、臭いの評価＞
テスト条件として１０ヶ月から１歳６ヶ月の乳幼児３０人（男１６人、女１４人）に実際の使用に供しておむつかぶれの状況、臭いの有無の評価を行った。結果は表１の通りである。なお、評価の対象としたのは排尿のみされた紙おむつである。
各水準の使用枚数        ５枚／日・人
おむつ吸水剤の重量    ７０ｇの紙おむつを用いた。
【００３３】
【表１】
2005160891.tif 000003
【図面の簡単な説明】
【００３４】
【図１】図１は、本発明の衛生生理用品の一例の横断面図を示す。
【符号の説明】
【００３５】
１：清浄材を塗布した布および／または不織布からなる表面材
２：脱臭効果を有する物質を含む高分子吸収材、吸水紙、綿状パルプからなる吸水材
３：防水材
４：漏れ防止の立体ギャザー
５：固定用テープ
【図１】
2005160891.tif 000004